(57)【要約】【課題】鑑定・鑑別対象の宝石のカラーグレードを視覚的に認識するのに必要な情報を得ることができる宝石鑑定・鑑別書を提供する。【解決手段】本実施例の宝石鑑定・鑑別書１は、複数のカラーグレードのうち、鑑定・鑑別対象となる宝石が属する特定のカラーグレードが記載されるカラーグレード記載欄８と、複数のカラーグレードにそれぞれ対応するブロックが、彩度に対応した第１軸方向および第１軸方向と交差する明度に対応した第２軸方向に配置されて表現されたダイアグラム３０とを有し、ダイアグラム３０には、カラーグレード記載欄８に記載された特定の前記カラーグレードの色相を用いて、第１軸方向に彩度が変化し、第２軸方向に明度が変化するように色が施され、各カラーグレードが占める彩度および明度の領域が区画線によって区画されて、各カラーグレードに対応するブロックが表現されている。【選択図】図１
0003122367.tif 000002
【実用新案登録請求の範囲】
【請求項１】
複数のカラーグレードのうち、鑑定・鑑別対象となる宝石が属する特定のカラーグレードが記載されるカラーグレード記載欄と、
前記複数のカラーグレードにそれぞれ対応するブロックが、彩度に対応した第１軸方向および前記第１軸方向と交差する明度に対応した第２軸方向に配置されて表現されたダイアグラムと
を有し、
前記ダイアグラムには、前記カラーグレード記載欄に記載された特定の前記カラーグレードの色相を用いて、第１軸方向に彩度が変化し、前記第２軸方向に明度が変化するように色が施され、各カラーグレードが占める彩度および明度の領域が区画線によって区画されて、各カラーグレードに対応する前記ブロックが表現されている
宝石鑑定・鑑別書。
【請求項２】
前記各ブロック内には、各ブロックに対応するカラーグレードの名称が記載されている
請求項１記載の宝石鑑定・鑑別書。
【請求項３】
前記各ブロックは、立体的に表現されている
請求項１記載の宝石鑑定・鑑別書。
【考案の詳細な説明】
【技術分野】
【０００１】
本考案は、ダイアモンドの鑑定・鑑別結果を示すダイアモンドグレーディングレポート等の宝石鑑定・鑑別書に関する。
【背景技術】
【０００２】
ダイアモンド等の宝石の価値は、カラット、カラー、クラリティー、カットの４要素で評価される。無色のダイアモンドのカラーについては、純粋無色のものをＤとして、以下Ｅ，Ｆ，Ｇ，Ｈ…Ｚまで分類評価している（特許文献１参照）。この場合には、Ｄに近づくにつれてダイアモンドの価値が高くなることから、一般の顧客はダイアモンドがどのカラーグレードに相当するのかを判断しやすかった。
【０００３】
一方、ピンク、イエロー、ブルー等であって一定以上の色合いをもつファンシーカラーダイアモンドが存在する。このファンシーカラーダイアモンドのカラーは、無色のダイアモンドとは別の分類評価がなされる。ファンシーカラーダイアモンドの場合には、明度と彩度により９つのカラーグレードに分類評価される。従来の鑑定・鑑別書では、鑑定・鑑別対象となるダイアモンドが属するカラーグレードの記載欄を見ることで、ファンシーカラーダイアモンドの分類を把握するようになっていた。鑑別書とは、使用されている宝石の種類、重さ、天然か合成かを、鑑定機関が科学的・物理的データを基に客観的に証明したものをいう。品質の良し悪しが記載されるわけではない。鑑定書とは、１個の宝石の品質を、鑑定機関が科学的・物理的データを基に客観的に証明したものをいう。本願明細書では、これらを含めて宝石鑑定・鑑別書と証する。
【特許文献１】実公平３−５７５０３号公報
【考案の開示】
【考案が解決しようとする課題】
【０００４】
しかしながら、カラーグレードは、明度と彩度との双方で定義されるものであるため、一般消費者にとっては分かり難い。鑑定・鑑別書にカラーグレードの名称のみを記載しても、一般消費者にとっては、当該カラーグレードがどのような明度と彩度の範囲のものであり、どのような評価を受けるものであるかが把握しづらかった。
【０００５】
本考案は上記の事情に鑑みてなされたものであり、その目的は、鑑定・鑑別対象の宝石のカラーグレードを視覚的に認識するのに必要な情報を得ることができる宝石鑑定・鑑別書を提供することにある。
【課題を解決するための手段】
【０００６】
上記の目的を達成するため、本発明の宝石鑑定・鑑別書は、複数のカラーグレードのうち、鑑定・鑑別対象となる宝石が属する特定のカラーグレードが記載されるカラーグレード記載欄と、前記複数のカラーグレードにそれぞれ対応するブロックが、第１軸方向および前記第１軸方向と交差する第２軸方向に配置されて表現されたダイアグラムとを有し、前記ダイアグラムには、前記カラーグレード記載欄に記載された特定の前記カラーグレードの色相を用いて、第１軸方向に彩度が変化し、前記第２軸方向に明度が変化するように色が施され、各カラーグレードが占める彩度および明度の領域が区画線によって区画されて、各カラーグレードに対応する前記ブロックが表現されている。
【０００７】
本考案の宝石鑑定・鑑別書では、カラーグレード記載欄に記載された特定のカラーグレードに対応するブロックが、色が施されたダイアグラム中のどの位置に存在するかを視覚的かつ直感的に認識することができる。このため、ブロックを通じて、カラーグレード記載欄に記載された特定のカラーグレードが、どの明度および彩度の領域に相当するのかを専門家ではない一般消費者であっても認識することができる。
【０００８】
前記各ブロック内には、各ブロックに対応するカラーグレードの名称が記載されていることが好ましい。これにより、一般消費者が、カラーグレード記載欄に記載された特定のカラーグレードが、ダイアグラム中のどのブロックに相当するのかが容易に認識できる。
【０００９】
例えば、前記各ブロックは、立体的に表現されている。これにより、デザイン性が向上する。ただし、各ブロックを平面的に表現しても良い。
【考案の効果】
【００１０】
本考案によれば、鑑定・鑑別対象の宝石のカラーグレードを視覚的に認識しやすくなる。
【考案を実施するための最良の形態】
【００１１】
以下に、本考案の実施の形態について、図面を参照して説明する。本例では、一例としてカラードダイアモンドを対象とした宝石鑑定・鑑別書を例に説明する。宝石鑑定・鑑別書は、グレーディングレポートとも称される。
【００１２】
図１は、本実施形態に係る宝石鑑定・鑑別書を示す図である。図２は、宝石鑑定・鑑別書のダイアグラムを説明するための図である。図３は、鑑定・鑑別書の記載欄を説明するためのダイアモンドの模式図であり、（ａ）は平面図、（ｂ）は側面図である。
【００１３】
宝石鑑定・鑑別書１の左上には、鑑定・鑑別書名２が記載されている。本例では、カラードダイアモンドグレーディングレポートと記載している。
【００１４】
宝石鑑定・鑑別書１は、写真添付欄３と、レポート番号記載欄４と、形及びカット記載欄５と、寸法記載欄６と、重量記載欄７と、カラーグレード記載欄８と、色の起源記載欄９と、蛍光性記載欄１０と、クラリティグレード記載欄１１と、平面図表示欄１２と、底面図表示欄１３と、厚さ記載欄１４と、テーブル径記載欄１５と、ガードル厚さ記載欄１６と、キューレットサイズ記載欄１７と、パビリオンの深さ記載欄１８と、クラウン角度記載欄１９と、その他記載欄２０と、ポリッシュ記載欄２１と、シンメトリー記載欄２２と、備考欄２３と、サイン欄２４と、鑑定・鑑別所表示欄２５と、ダイアグラム３０とを有する。
【００１５】
本考案は、上記のうち、カラーグレード記載欄８に対応したダイアグラム３０を設けた点に特徴がある。従って、上記の記載欄３〜２５については特定限定はない。ただし、ダイアグラム３０の説明に移る前に、まず、各記載欄の説明を行う。
【００１６】
写真添付欄３には、鑑定・鑑別対象となるダイアモンドの写真が添付される。写真の代わりに画像を添付してもよい。
【００１７】
レポート番号記載欄４には、当該鑑定・鑑別書を識別するためのレポート番号が記載される。
【００１８】
形及びカット（SHAPE＆CUT)記載欄５には、ダイアモンドのカットの型が記載される。図１では、ラウンドブリリアントカットと記載されている例を示している。ラウンドブリリアントカットとは、丸型で、クラウン側に３３、パビリオン側に２５、合計５８のファセット（研磨された面）をもったカットのことである。これがダイアモンドの美しさを最大限に引き出す形と言われている。なお、ラウンドブリリアントカット以外にも、オーバルブリリアントカット、ハートシェープブリリアントカット等がある。
【００１９】
寸法(MEASUREMENT)記載欄６には、自動計測装置（ダイアメンション）を使用してダイアモンドのガードル径２箇所（最小値と最大値）と全体の厚さを測定し寸法として記載している（図３参照）。
【００２０】
重量(CARAT WEIGHT)記載欄７には、ダイアモンドの重量がカラット（略字ではct）で記載される。カラットは、宝石の重量を表す用語で、１カラットは０．２００ｇである。精密な電子天秤を用いて小数点第３位まで測定される。
【００２１】
カラーグレード(COLOR GRADE)記載欄８には、カラードダイアモンドの色の分類評価が記載される。色は、色の色相、明度、彩度の３つの要素で分類される。色の明度および彩度により、ファンシーヴィヴィッド（Fancy Vivid)、ファンシーインテンス(Fancy Intense)、ファンシーディープ(Fancy Deep)、ファンシーダーク(Fancy Dark)、ファンシー(Fancy)、ファンシーライト(Fancy Light)、ライト(Light)、ベリーライト(Very Light)、フェイント(Faint)のいずれかに分類される。カラーグレード記載欄８には、上記の分類名称と色相とを合わせて記載される。例えば、ピンクダイアモンドで、明度および彩度がファンシーに属する場合には、ファンシーピンクと記載される。なお、各カラーグレードの詳細については、ダイアグラム３０の説明と合わせて説明する。
【００２２】
色の起源（COLOR ORIGIN)記載欄９には、天然であるのか人工処理により色が付されたのかが記載される。
【００２３】
蛍光性(FLUORESCENCE)記載欄１０には、ダイアモンドの蛍光の色調や強さが記載される。ダイアモンドは、一般に紫外線を当てると石によって様々な蛍光を発するからである。
【００２４】
クラリティグレード(CLARITY GRADE)記載欄１１には、クラリティ（ダイアモンドのキズや内包物（インクルージョン）の程度）のグレードが記載される。クラリティの評価は、磨かれたダイアモンドを１０倍に拡大し検査してインクルージョンの有無、大きさ、性質、数、色を総合的に判断して行われる。クラリティーの評価は、ＦＬ、ＩＦ、ＶＶＳ1、ＶＶＳ2、ＶＳ1、ＶＳ2、ＳＩ1、ＳＩ2、Ｉ1、Ｉ2、Ｉ3の１１段階に分類評価される。ＦＬが最も評価が高く、Ｉ3が最も評価が低い。クラリティグレード記載欄１１の下には、１１種類のクラリティグレードが表記されている。これにより、クラリティグレード記載欄１１に記載されたクラリティグレードが、どの位置づけにあるのかを一般消費者が視覚的に理解することができるようになっている。
【００２５】
平面図表示欄１２には、ダイアモンドの平面図が表示されている。これにより、形及びカット記載欄５に記載されたカットの型を、一般消費者が視覚的に理解することができるようになっている。
【００２６】
底面図表示欄１３には、ダイアモンドの底面図が表示されている。これにより、形及びカット記載欄５に記載されたカットの型を、一般消費者が視覚的に理解することができるようになっている。
【００２７】
宝石鑑定・鑑別書１の右側には、カットの形（CUT PROPORTION）と仕上げ（FINISH)の評価が記載される。右側の記載欄の説明の前に、図３を参照してダイアモンドの各部の名称について、説明する。
【００２８】
ダイアモンドの平坦な部分がテーブルと称される。テーブルの反対側にある先鋭な部分がキューレットと称される。テーブルとキューレットの間に存在する幅広い部分がガードルと称される。ガードルとテーブルの間がクラウン部と称され、ガードルとキューレットの間がパビリオン部と称される。以下、各記載欄１４〜２２を説明する。
【００２９】
厚さ(DEPTH)記載欄１４には、図３（ｂ）に示すテーブルからキューレットまでの厚さをガードルの平均直径で割り、小数点第２位を四捨五入してパーセント表示した値が記載される。厚さは、自動計測装置を使用して算出される。
【００３０】
テーブル(TABLE)径記載欄１５には、図３（ｂ）に示すテーブルの角から反対側の角までを４箇所測定し、その平均値をガードルの平均直径で割り、小数点第１位を四捨五入してパーセント表示した値が記載される。
【００３１】
ガードル(GIRDLE)厚さ記載欄１６には、ガードル厚さが記載される。ガードルは、ダイアモンドを保護するために必要なもので、厚さの度合いにより、EXTREMELY THIN（極端に薄い）、VERY THIN（非常に薄い）、THIN(薄い）、MEDIUM（中位）、SLIGHTLY THICK（やや厚い）、THICK（厚い）、VERY THICK（非常に厚い）、EXTREMELY THICK（極端に厚い）の用語で表現される。
【００３２】
キューレットサイズ(CULET SIZE)記載欄１７には、ダイアモンドのキューレットの大きさや状態が記載される。例えば、NONE（なし）、VERY SMALL（非常に小さい）、SMALL（小さい）、MEDIUM（中位）、SLIGHTRY LARGE（やや大きい）、LARGE（大きい）、VERY LARGE(非常に大きい)、EXTREMELY LARGE（極端に大きい）、CHIPPED CULET（欠けたキューレット）、ABRADED CULET（磨耗したキューレット）の用語で表現される。
【００３３】
パビリオンの深さ(PAVILION DEPTH)記載欄１８には、ガードルの平均直径に対するキューレットからガードルまでの深さの割合をパーセント表示した値が記載される。パビリオンの深さは、自動計測装置を使用して算出される。
【００３４】
クラウン角度(CROWN ANGLE)記載欄１９には、クラウン部とガードル面との角度が記載される。
【００３５】
その他(OTHER FACTORS)記載欄２０には、必要に応じて、その他の評価項目が記載される。
【００３６】
ポリッシュ(POLISH)記載欄２１には、ダイアモンドのファセット（研磨された面）の研磨の仕上げ評価が記載される。例えば、EXCELLENT、VERY GOOD、GOOD、FAIR、POORの５段階で評価される。
【００３７】
シンメトリー(SYMMETRY)記載欄２２には、ダイアモンドの対称性の評価が記載される。例えば、例えば、EXCELLENT、VERY GOOD、GOOD、FAIR、POORの５段階で評価される。
【００３８】
その他、備考(REMARKS)欄２３には、必要に応じてコメントが記載される。サイン欄２４には、鑑定・鑑別を行ったものの署名がなされる。鑑定・鑑別所表示欄２５には、鑑定・鑑別所名称が表示される。
【００３９】
本考案では、宝石鑑定・鑑別書１にダイアグラム３０を追加したことに特徴がある。このダイアグラム３０について説明する。
【００４０】
図２に示すように、ダイアグラム３０には、横軸（第１軸）および縦軸（第２軸）が設定されている。ダイアグラム３０は、横軸方向および縦軸方向に９つのブロックが積み重なって構成されている。
【００４１】
ダイアグラム３０には、カラーグレード記載欄８に記載されたカラーグレードの色相であって、横軸方向に彩度が変化し、縦軸方向に明度が変化するように色が施されている。例えば、横軸方向では右側にいくに従って彩度が高くなるように色が施されている。また、縦軸方向では下側にいくに従って明度が低くなるように色が施されている。図１の場合には、ダイアグラム３０には、ピンク色のグラデーションが施される。
【００４２】
図２は、各ブロックの配置を示す図である。図１の宝石鑑定・鑑別書１には各ブロックを立体的に表示しているが、図２では、説明の都合上平面的にブロックを記載している。また、説明の都合上、図２は、白抜きにしている。
【００４３】
各カラーグレードが占める彩度および明度の領域が区画線によって区画されて、各カラーグレードに対応するブロック３１〜３９が表現されている。１つのブロックは、１つのカラーグレードに対応し、１つのカラーグレートが占める明度および彩度の領域を示す。
【００４４】
ブロック３１はファンシーヴィヴィッド（Fancy Vivid)に対応する。ブロック３２はファンシーインテンス(Fancy Intense)に対応する。ブロック３３はファンシーディープ(Fancy Deep)に対応する。ブロック３４はファンシーダーク(Fancy Dark)に対応する。ブロック３５はファンシー(Fancy)に対応する。ブロック３６はファンシーライト(Fancy Light)に対応する。ブロック３７はライト(Light)に対応する。ブロック３８はベリーライト(Very Light)に対応する。ブロック３９はフェイント(Faint)に対応する。
【００４５】
各ブロック３１〜３９には、これに対応するカラーグレードの名称が記載されている。これにより、一般消費者は、カラーグレード記載欄８に記載されたカラーグレードが、どのブロックに相当するのかを認識することができる。ただし、カラーグレード記載欄８に記載されたカラーグレードと、ブロックとの対応が一般消費者に分かれば良い。例えば、ブロック内にカラーグレードの略称、アルファベット、数字のみを記載してもよい。
【００４６】
カラードダイアモンドの評価としては、ある程度の色がついており、彩度が高ければ高いほど価値がある。一般的には、ファンシーヴィヴィッド（Fancy Vivid)が最も価値が高く、ファンシーインテンス(Fancy Intense)、ファンシーディープ(Fancy Deep)、ファンシーダーク(Fancy Dark)、ファンシー(Fancy)、ファンシーライト(Fancy Light)、ライト(Light)、ベリーライト(Very Light)、フェイント(Faint)の順に価値が低くなる。ただし、これらは彩度と明度で二次元的に評価がされるため、例えばファンシーディープであったとしても、ファンシーヴィヴィッドに近ければ価値は高くなる。
【００４７】
本考案の宝石鑑定・鑑別書１では、ダイアグラム３０には、カラーグレード記載欄８に記載されたカラーグレードの色相を用いて、彩度および明度が変化するようにカラーグラデーションが施されている。そして、このダイアグラム３０の領域が、各カラーグレードに対応するブロックに区画されている。このため、一般消費者は、カラーグレード記載欄８に記載された特定のカラーグレードが、どの明度および彩度の領域に相当するのかを視覚的に認識することができる。
【００４８】
また、例えば同じカラーグレードをもつ複数のダイアモンドが存在する場合に、これらのダイアモンドの価格の違いをダイアグラム３０を用いて説明することができる。例えば、極めてファンシーヴィヴィッドに近いファンシーインテンスである等の説明が容易になる。
【００４９】
ダイアグラム３０の各ブロック３１〜３９内には、各ブロック３１〜３９に対応するカラーグレードの名称が記載されている。これにより、一般消費者が、カラーグレード記載欄８に記載された特定のカラーグレードが、ダイアグラム３０中のどのブロックに相当するのかが容易に認識できる。
【００５０】
各ブロック３１〜３９が立体的に表現されていることにより、デザイン性が向上する。例えば、本例では、第１軸および第２軸と交差する第３軸をもたせて、立体図形の二次元平面への投射図のように表現している。ただし、各ブロック３１〜３９を平面的に表現しても良い。
【００５１】
本考案は、上記の実施形態の説明に限定されない。
例えば、本実施形態では、ピンクダイアモンドの例について説明したが、他のカラードダイアモンドの場合にも、色相毎に異なるダイアグラム３０を用意しておけばよい。他の色相としては、例えば、ブルー、イエロー、イエローグリーン、バイオレット、オレンジ、ブラウン、グレー等がある。また、本実施形態に係る宝石鑑定・鑑別書１は、ダイアモンド以外の他の宝石の鑑定・鑑別書にも適用可能である。さらに、カラーグレード記載欄８およびダイアグラム３０以外の記載欄の削除、配置変更、他の記載欄の追加は適宜可能である。
その他、本考案の要旨を逸脱しない範囲で、種々の変更が可能である。
【図面の簡単な説明】
【００５２】
【図１】本実施形態に係る宝石鑑定・鑑別書を示す図である。
【図２】ダイアグラムの詳細を説明するための図である。
【図３】（ａ）はダイアモンドの平面図、（ｂ）はダイアモンドの側面図である。
【符号の説明】
【００５３】
１…宝石鑑定・鑑別書、２…鑑定・鑑別書名、３…写真添付欄、４…レポート番号記載欄、５…形及びカット記載欄、６…寸法記載欄、７…重量記載欄、８…カラーグレード記載欄、９…色の起源記載欄、１０…蛍光性記載欄、１１…クラリティグレード記載欄、１２…平面図表示欄、１３…底面図表示欄、１４…厚さ記載欄、１５…テーブル径記載欄、１６…ガードル厚さ記載欄、１７…キューレットサイズ記載欄、１８…パビリオンの深さ記載欄、１９…クラウン角度記載欄、２０…その他記載欄、２１…ポリッシュ記載欄、２２…シンメトリー記載欄、２３…備考欄、２４…サイン欄、２５…鑑定・鑑別所表示欄、３０…ダイアグラム、３０ａ…区画線、３１，３２，３３，３４，３５，３６，３７，３８，３９…ブロック
【図１】
0003122367.tif 000003
【図２】
0003122367.tif 000004
【図３】
0003122367.tif 000005